(57)【特許請求の範囲】
【請求項１】
２種以上の物質の混合により得られる、ガスを発生する内容物を収容する容器本体とキャップとを含むキャップ付き容器であって、キャップの頂部には孔部と孔部を覆うように設けられた弁体保持部とが形成されており、弁体保持部には、容器本体の内圧が所定の圧力以上となった時に作動する圧抜き弁体が、孔部を塞ぐように設けられており、弁体保持部の側面には、圧抜き弁体が作動した際に容器内の内容物を外部に排出可能な排出口が設けられており、弁体保持部の周囲にはキャップの側面を上方に伸長することにより形成された液だまり部が設けられているキャップ付き容器。
【請求項２】
圧抜き弁体が、キャップの孔部の周縁部に接触する板状部と板状部を孔部の周縁部に押しつける弾性部とから構成されている請求項１記載のキャップ付き容器。
【請求項３】
容器内圧が０．２ＭＰａ以上で圧抜き弁体が作動する請求項１又は２記載のキャップ付き容器。
【発明の詳細な説明】
【０００１】
【発明の属する技術分野】
本発明は、ガスを発生する物質を収容する容器本体とキャップとからなるキャップ付き容器に関する。
【０００２】
【従来の技術】
ガスを発生する液体を収容するキャップ付き容器のガス抜き機構としては、通気性のゴアテックシートとスペーサーとスリットが形成されたポリプロピレンフィルム弁体との積層体が提案されている（特開平５−２７０５５９号公報）。このガス抜き機構は、ポリプロピレンフィルム弁体が内容物側となるようにキャップの頂部内面に設置され、一方、キャップの頂部にはガス抜き穴が形成される。
【０００３】
このガス抜き機構を備えたキャップ付き容器においては、容器本体内に生じたガスはポリプロピレンフィルム弁体のスリットを通過し、更にゴアテックスシートを通過し、キャップのガス抜き穴から外部に拡散するので、容器の変形が防止される。
【０００４】
また、ポリプロピレンフィルム弁体は、ガスを通過させるが液体の通過に対しては抵抗する。従って、容器が倒れ、ポリプロピレン弁体に０．０５ＭＰａ程度の液圧が加わった場合でも、容器本体内の液体はゴアテックスシートにまで直ちに到達することはないので、ゴアテックスシートの破損を防止することが可能となる。
【０００５】
【発明が解決しようとする課題】
しかしながら、特開平５−２７０５５９号公報に記載されているガス抜き機構の場合、ガスの排出速度（約０．３ｍｌ（酸素）／ｄａｙ・ｃｍ2）が非常に遅いという問題がある。このため、このようなガス抜き機構を備えたキャップ付き容器で、比較的多量のガスが発生する２液タイプの染毛剤（約０．３ｍｌ（酸素）／分・ｃｍ2）を混合した場合、２液の混合直後にキャップを取り去って混合液を使用すれば問題がないが、何らかの理由でキャップを閉めたまま容器を放置した場合には、内圧が過度に高まって容器が変形し、更には容器が破裂することも懸念される。また、上述したようなスリットが形成されたポリプロピレン弁体では、０．２〜０．３ＭＰａの内圧に耐えられず、容器が倒れなくても、発泡した内容物がゴアテックスシートにまで到達し、ゴアテックスシートの目詰まりなどの破損が生じ、その通気性が低下し、結果的に内圧が過度に高まってしまうという問題がある。更に、ガス抜き穴がキャップの頂部に存在するので、内容物が顔に向かって直接飛散するおそれがある。
【０００６】
本発明は、ガスを発生する物質を収容する容器本体とキャップとからなるキャップ付き容器に、２液タイプの染毛剤などのような比較的多量のガスを発生させる内容物を収容して使用のために振盪した場合に、また、誤って振盪後にキャップをしたまま放置した場合に、容器の変形や破裂を生じさせず、内容物があふれた場合でも、内容物が直接、顔などに飛散することを防止し、安全に圧抜きができるようにすることを目的とする。
【０００７】
【課題を解決するための手段】
本発明の目的は以下の本発明により達成された。
【０００８】
即ち、２種以上の物質の混合により得られる、ガスを発生する内容物を収容する容器本体とキャップとからなるキャップ付き容器であって、
キャップの頂部には孔部と孔部を覆うように設けられた弁体保持部とが形成されており、
弁体保持部には、容器本体の内圧が所定の圧力以上となった時に作動する圧抜き弁体が、孔部を塞ぐように設けられており、
弁体保持部の側面には、圧抜き弁体が作動した際に容器内の内容物を外部に排出可能な排出口が設けられているキャップ付き容器を提供する。
【０００９】
【発明の実施の形態】
本発明の好ましい態様のキャップ付き容器は、図１に示すように、２種以上の物質の混合により得られる、ガスを発生する内容物（２液タイプの染毛剤を混合したもの等）を収容する容器本体１とキャップ２とから構成される。容器本体としては、断面が円筒形で、頭部１ａの径が下部の径よりも絞られているプラスチック製の容器を使用することができる。また、頭部１ａの外面には、キャップ２の内壁に形成された雌ネジ山２ａに対応した雄ネジ山１ｂが形成されている。
【００１０】
このキャップ付き容器においては、キャップ２の頂部には孔部３（通常は円形であるが、他の形状でもよい）とその孔部３を覆うように設けられた弁体保持部４とが形成されている。弁体保持部４の形状としては、ドーム形状、円筒形状等が挙げられる。
【００１１】
この弁体保持部４の内部には、通常状態においては孔部３を上方から塞ぐように圧抜き弁体５が設けられている。この圧抜き弁体５は、容器本体１の内圧が所定の圧力（好ましくは約０．２ＭＰａ）以上となった時に作動する、即ち、孔部３がオープンな状態となるように作動する。
【００１２】
また、この弁体保持部４には、圧抜き弁体５が作動した際に容器本体１内の内容物を外部に排出可能な排出口６が設けられている。排出口６は、圧抜き弁体５が作動して容器本体１の内容物が排出された場合に、上方に飛び出さないようにするために弁体保持部４の側面に設けることが好ましい。排出口６の形状、数、設置位置等は適宜設定することができる。
【００１３】
また、キャップ２の側面を上方に伸長することにより弁体保持部４の周囲に壁７を設け、液だまり部８を形成することが好ましい。これにより、排出口６から仮に内容物が排出されても、液だまり部８に収容して、液だれや周囲への飛散を防止することができる。
【００１４】
以上説明したような圧抜き弁体５は、通常状態（図１（ａ））では、キャップ２の孔部３を塞ぎ、所定の圧よりも高まった加圧状態（図１（ｂ））では、孔部３の少なくとも一部をオープンな状態にし、内容物９を排出口６から外部に排出可能な限り、種々の形状を取ることができるが、孔部３を塞ぐプラスチック製の板状部５ａと板状部５ａを孔部３側に押しつける弾性部５ｂとから構成することが好ましい。弾性部５ｂの形状としては、熱可塑性エラストマーのらせん状蛇腹成型体（図２（ａ））、熱可塑性エラストマーの棒状成形体（図２（ｂ））等を挙げることができる。
【００１５】
以上説明したキャップ付き容器は、ガスを発生する物質を収容するのに適しており、特に、０．３ｍｌ／分以上の比較的多量のガスを発生する物質、例えば２液タイプの染毛剤等に好ましく適用することができる。
【００１６】
【発明の効果】
本発明のキャップ付き容器は、２液タイプの染毛剤などのような比較的多量のガスを発生させる内容物を収容して使用のために振盪した場合でも、また、誤って振盪後にキャップをしたまま放置した場合でも、容器に変形や破裂を生じさせず、内容物があふれた場合でも、内容物が直接、顔などに飛散することを防止し、安全に圧抜きができる。
【図面の簡単な説明】
【図１】本発明のキャップ付き容器のキャップ部分の部分断面図である。
【図２】本発明のキャップ付き容器に使用する圧抜き弁体５の斜視図である。
【符号の説明】
１  容器本体、２  キャップ、３  孔部、４  弁体保持部、５  圧抜き弁体、６  排出口
【図１】
0004605325.tif 000002
【図２】
0004605325.tif 000003